(57)【要約】 【課題】防犯性に優れた引戸の錠前用ケースの固定構造を提案すること。【解決手段】  引戸の縦框に嵌合状態に嵌め込んだ錠前用のケースを、固着具を介して固定する引戸の錠前用ケースの固定構造に於いて、前記錠前用のケースは、縦框の内側フレームに形成された嵌合切欠部に嵌め込まれたサムターン側の内側取付け部材であり、該内側取付け部材は前記縦框の戸先側の支持フレームに形成した複数個の取付け孔３２．３３を介して横止めされていることを特徴とする引戸の錠前用ケースの固定構造。【選択図】  図３
2005213968.tif 000002
【特許請求の範囲】
【請求項１】
引戸の縦框に嵌合状態に嵌め込んだ錠前用のケースを、固着具を介して固定する引戸の錠前用ケースの固定構造に於いて、前記錠前用のケースは、縦框の内側フレームに形成された嵌合切欠部に嵌め込まれたサムターン側の内側取付け部材であり、該内側取付け部材は前記縦框の戸先側の支持フレームに形成した複数個の取付け孔３２．３３を介して横止めされていることを特徴とする引戸の錠前用ケースの固定構造。
【請求項２】
引戸の縦框に嵌合状態に嵌め込んだ錠前用のケースを、固着具を介して固定する引戸の錠前用ケースの固定構造に於いて、前記錠前用のケースは、縦框の内部空間に嵌め込まれた錠前保護用の硬質プロテクター４であり、この硬質プロテクターは前記縦框の戸先側の支持フレームに形成した複数個の取付け孔３１．３４を介して横止めされていることを特徴とする引戸の錠前用ケースの固定構造。
【請求項３】
請求項２に於いて、硬質プロテクター４は、縦框の上方開口又は下方開口から嵌め込まれた一端面コ字型のケースであり、戸先側の支持フレームの内壁面に一側面４ａが固定されていることを特徴とする引戸の錠前用ケースの固定構造。
【請求項４】
引戸の縦框に嵌合状態に嵌め込んだ錠前用のケースを、固着具を介して固定する引戸の錠前用ケースの固定構造に於いて、前記錠前用のケースは、縦框の内側フレームに形成された嵌合切欠部に嵌め込まれたサムターン側の内側取付け部材と、縦框の内部空間に嵌め込まれた錠前保護用の硬質プロテクター４であり、内側取付け部材及び硬質プロテクター４は、前記縦框の戸先側の支持フレームに形成した上下方向の複数個の取付け孔３１．３２．３３．３４を介してそれぞれ横止めされていることを特徴とする引戸の錠前用ケースの固定構造。
【請求項５】
請求項４に於いて、框２は、戸先フレーム２ａと縦框本体２ｂとを有し、前記戸先フレーム２ａが縦框本体２ｂと一体的に結合すると、内側取付け部材３及び硬質プロテクター４用の第１・第２固定手段５．５Ａ．６．６Ａは、框２内に存在して外部から見えなくなることを特徴とする引戸の錠前用ケースの固定構造。
【請求項６】
請求項４に於いて、ケース状硬質プロテクター４内に内側取付け部材の固定筒４３に嵌合する錠前保護用の第２硬質プロテクター５１が設けられていることを特徴とする引戸の錠前用ケースの固定構造。
【発明の詳細な説明】
【技術分野】
【０００１】
本発明は、引戸の錠前用ケースの固定構造に関し、特に戸先錠を備えた引戸の錠前用ケースの固定構造に適合する。
【背景技術】
【０００２】
普通一般に、サムターンや外側シリンダーを引戸の縦框に取付ける場合には、内外の取付け部材（化粧板、取付け座、錠ケースと称されるもの）と複数個の固着具が用いられる。特許文献１には、サムターン摘み用の内側取付け部材（サムターンケース）及び外側取付け部材（外側シリンダー用シフター）がそれぞれ開示されている。
【０００３】
例えば内外の取付け部材を固定する場合には、外側取付け部材のメネジ杆に内側取付け部材の貫通孔を貫通する固着具を螺合して内外の取付け部材を一体的に結合する。この場合前記固着具は、室外から見て引戸に向かった方向に存在する。したがって、泥棒にとってみれば、引戸の取付け部材や錠前に対して真っ向から硬質ドリル等で攻撃することができるから、当然、固着具も硬質ドリルの攻撃対象に成り易いという問題点がある。また、内外の取付け部材用の固着具の位置も外観上判別し易いという問題点も存在する。
【特許文献１】特開平１０−３１１１７１公報
【発明の開示】
【発明が解決しようとする課題】
【０００４】
そこで、本発明の第１の目的は、防犯性の向上を図るために、泥棒が錠前用のケースを、簡単に取り外しできないようにすること。そのために外部から錠前用のケースを固定する固着手段の存在位置が判らないようにすること。第２の目的は、泥棒が用いる硬質ドリルから錠前を守ることができると共に、内側取付け部材の取り外しを極めて困難にすることである。
【課題を解決するための手段】
【０００５】
本発明の引戸の錠前用ケースの固定構造は、引戸の縦框に嵌合状態に嵌め込んだ錠前用のケースを、固着具を介して固定する引戸の錠前用ケースの固定構造に於いて、前記錠前用のケースは、縦框の内側フレームに形成された嵌合切欠部に嵌め込まれたサムターン側の内側取付け部材であり、該内側取付け部材は前記縦框の戸先側の支持フレームに形成した複数個の取付け孔３２．３３を介して横止めされていることを特徴とする。
【０００６】
また、本発明の引戸の錠前用ケースの固定構造は、引戸の縦框に嵌合状態に嵌め込んだ錠前用のケースを、固着具を介して固定する引戸の錠前用ケースの固定構造に於いて、前記錠前用のケースは、縦框の内部空間に嵌め込まれた錠前保護用の硬質プロテクター４であり、この硬質プロテクターは前記縦框の戸先側の支持フレームに形成した複数個の取付け孔３１．３４を介して横止めされていることを特徴とする。
【発明の効果】
【０００７】
（１）泥棒は、外部から錠前用のケースを固定する固着手段の存在位置が判らないので、容易に錠前用のケースを取外せない。
（２）請求項４に記載の発明の場合には、内側取付け部材３は、錠前保護用の硬質プロテクター４内にカバーされており、しかも、この硬質プロテクター４も内側取付け部材と同様に複数個の固着具で戸先側から横止めされているので、泥棒にとって、内側取付け部材３を取り外すことは、物理的に相当な困難を伴う。したがって、防犯性に優れている。
【発明を実施するための最良の形態】
【０００８】
以下、図１乃至図８に示す本発明を実施するための最良の形態（一実施例）により説明する。
【０００９】
（１）発明の実施の環境
図１及び図２は発明の実施の環境を示す概略説明図である。Ｘは建具用戸先錠である。本実施例では、引戸の戸先錠を例にして説明する。ここで、「引戸」とは、引いて開閉するドアの意味であり、また、「戸先錠」とは、建具の開口部の縦枠に衝突する引戸の先に取付けられる錠前のことである。
【００１０】
さて、１は戸先錠Ｘの取付け対象である１枚のサッシ型引戸である。この引戸１の戸先側の縦框２に錠前を構成するシリンダー取付け用の内側取付け部材（内側座体）３と前記シリンダー保護用の外側取付け部材（硬質プロテクター）４とがそれぞれ複数個の固着手段５．５Ａ、６．６Ａを介して戸先側から横止めされている。固着手段５．５Ａ、６．６Ａの取付け位置については後述する。
【００１１】
本実施例の戸先錠Ｘは、図４で示すように、例えば内側シリンダー７及び外側シリンダー８を備えている。内外のシリンダー７．８は、上下方向に所要間隔を有して縦框２の内部空間９に横方向に略内装されている。図４を基準にすると、下方に位置しているのが内側シリンダー７で、この内側シリンダー７は室内側から図示しないキーによって操作される。したがって、内側シリンダー７は「サムターンシリンダー」に相当する。
【００１２】
一方、上方に位置しているのが外側シリンダー８で、この外側シリンダー８は室外側から前記キー又は別個のキーによって操作される。したがって、１０は外側シリンダー８の内筒が嵌合する嵌合孔を有する保護キャップである。戸先錠Ｘの具体的構成は、本発明の特定要件ではないので、詳細な説明を省略する。
【００１３】
図１及び図２を参照にすると、１３は建具の開口部の縦枠Ｚに設けられた受け金具で、この受け金具１３には戸先錠Ｘの施錠片(例えば鎌片)１４の先端部が回転掛合（係合）する。Ｗは壁である。壁Ｗは、建具如何によっては他方の引戸（引き違い戸）になる。
【００１４】
１５は内側取付け部材３の下部側に上下方向にスライド自在に設けられたサムターン摘み部材である。サムターン摘み部材１５の操作部１５ａは、内側取付け部材３の下部側に形成した縦長窓１６内に位置している。なお、１７は引戸１のガラス等である。また、１ａは引戸の外壁面、１ｂはその内壁面である。
【００１５】
（２）主たる部材…固着手段
例えば図２、図６を参照にした説明すると、５．５Ａは内側取付け部材３用の第１固着手段、６．６Ａは硬質プロテクター４用の第２固着手段である。本実施例の第１固着手段５．５Ａ及び第２固着手段６．６Ａは、縦框２の戸先側（横）から該縦框２を構成するフレームを介して内側取付け部材３と硬質プロテクター４とをそれぞれ固着している。
【００１６】
（３）主たる部材…縦框２
図３及び図５を参照に縦框２の構成を説明する。縦框２は戸先フレーム２ａと縦框本体２ｂとを有する。すなわち、２ａは縦框２の戸先フレームで、この戸先フレーム２ａは閉戸時に縦枠Ｚと衝突可能である。この戸先フレーム２ａは錠機構や内側取付け部材用の内部空間９を形成する縦框本体２ｂに固定的に圧接係合する。
【００１７】
圧接係合は、例えば図５で示すように縦框本体２ｂの対向内壁面に突設した内外１対の挟持型係止片２１．２１と、これらの係止片２１．２１に弾性変位して係合する係合片２２．２２とで構成されている。
【００１８】
この戸先フレーム２ａを縦框本体２ｂに圧接係合（一体的に係合）すると、縦框の戸先側の支持フレームに形成した複数個の取付け孔３１．３２．３３．３４を介してそれぞれ横止めされた内側取付け部材３及び錠前保護用の硬質プロテクター４用の第１・第２固定手段５．５Ａ．６．６Ａは、框２内に存在して外部から見えなくなる。
【００１９】
しかして、縦框本体２ｂは、戸先フレーム２ａと多少の間隙を介して対向する第１支持フレーム２３と、この支持フレーム２３と対向するガラス１７側の第２支持フレーム２４とを有する。
【００２０】
また縦框本体２ｂは、第１及び第２支持フレーム２３．２４に直交する前後（外側と内側）の支持フレーム２５．２６を有し、前支持フレーム２５には外側シリンダー８用の嵌合孔２７が、一方、後支持フレーム２６には内側取付け部材用の縦長状嵌合切欠部２８が形成されている。なお、これらの支持フリーム２３．２４．２５．２６で断面矩形状に形成されている。
【００２１】
さて、縦框本体２ｂの適宜箇所には、第１・第２固着手段用の複数個の貫通孔３１．３２．３３．３４が所要間隔を有して縦方向にそれぞれ形成されている。これらの貫通孔は縦框本体２ｂの上方又は下方の開口３５から内部空間９に嵌め込まれた一端面コ字型の硬質プロテクター４及び前述した嵌合切欠部２８に嵌め込まれたケース状内側取付け部材３を戸先側（横）からビス止めするための取付け孔である。
【００２２】
図３を基準にすると、一番上方の貫通孔３１及び一番下方の貫通孔３４は、硬質プロテクター４の一側壁４ａの取付け孔（メネジ）３１Ａ．３４Ａと符合する第２固着手段６．６Ａ用の取付け孔である。これらの貫通孔３１．３４の間に前後方向に多少オフセットした部位にそれぞれ形成された貫通孔３２．３３が存在するが、これらの貫通孔３２．３３は、硬質プロテクター４の一側壁４ａの取付け孔（メネジ）３２Ａ．３３Ａと符合する第１固着手段５．５Ａ用の取付け孔である。
【００２３】
（４）主たる部材…内側取付け部材３．４３と第１固着手段５．５Ａ
内側取付け部材３には外側シリンダー８が固定的に装着されている。図４で示すように、外側シリンダー８は、サムターン機構と連動し、又は連動しないで、一端部（後端部側）が内側取付け部材３の内壁に形成された凹所状嵌合部４１に支持されていると共に、その余の部分（先端部側）は、内側取付け部材３に複数本の第３固着手段４２．４２を介して固定されたシリンダー用固定筒４３に支持されている。
【００２４】
固定筒４３は、内側取付け部材３とは別体に形成された断面ハット型形状の嵌合体であるが、ここでは内側取付け部材３の概念に含まれる。したがって、設計如何により、固定筒４３と内側取付け部材３とを一体成形することが可能である。
【００２５】
図４で示すように固定筒４３の横と内側取付け部材３の横に第１固着手段５．５Ａがそれぞれ螺合する。したがって、図５及び図６で示すように、上方の第１固着手段５は、硬質プロテクター４の上方の貫通孔３２Ａを介して固定筒４３に螺合し、かつ、第１支持フレーム２３の略中央部に位置しているのに対し、下方の第１固着手段５Ａは硬質プロテクター４の下方の貫通孔３３Ａを介して固定筒４３に螺合し、かつ、第１支持フレーム２３の端部（後支持フレーム２６）側に位置している。
【００２６】
ところで、本実施例では、外側シリンダー８はサムターン機構と連動することを前提として、引戸１の内部空間９に内外のシリンダー７．８を上下方向に所要間隔を有して内装している。
【００２７】
そこで、図４で示すように、内側取付け部材５の周壁部の内壁面には、前述した凹所状嵌合部４１に連通する縦方向の収納凹所が形成され、該縦型収納凹所には、外側シリンダー８の出力軸に固定された伝動歯車４４、該伝動歯車４４と噛合する縦方向の摺動ラックなどが適宜に組み込まれる。
【００２８】
また、外側シリンダー用の凹所状嵌合部４１の下方には、内側シリンダー用の凹所状嵌合部（例えば横向き凹所）４６が形成され、該嵌合部４６に内側シリンダー７の一端部が嵌合する。この内側シリンダー７の他端部（引戸１の室外側１ａ）から突出するサムターン駆動軸には、動力変換機構の一部を構成する駆動歯車（ピニオン）４７が設けられ、該駆動歯車４７には動力変換機構のラック４８が噛み合っている。
【００２９】
（５）主たる部材…硬質プロテクター４と第２固着手段６．６Ａ
硬質プロテクター４は、外側取付け部材の一例である。この錠前保護用の硬質プロテクター４の一側壁４ａにも縦框２の第１支持フレーム２２同様に第１・第２固着手段用の複数個の貫通孔３１Ａ．３２Ａ．３３Ａ．３４Ａが所要間隔を有して縦方向にそれぞれ形成されている（縦框２の貫通孔とそれぞれ符合するので、便宜上同様の符号を付す）。
【００３０】
第２固着手段６．６Ａの一番上方の貫通孔３１Ａと一番下方の貫通孔３４Ａは、取付け孔の一種（例えばメネジ）である。硬質プロテクター４は、ドリル対策用なので、浸炭焼き入れされている。また固定筒４３も浸炭焼き入れされている。この硬質プロテクター４は、形態如何によって引戸１の内側から嵌め込むことも可能であるが、本実施例では図３で示すように縦框本体２ｂの上方開口３５から嵌め込まれ、かつ、第２固着手段６．６Ａにより縦框本体２ｂの第１支持フレーム２３に横から固着される。
【００３１】
（６）第２硬質プロテクター５１
図４で示すように、本実施例では、ケース状硬質プロテクター４内に固定筒４３に嵌合する錠前保護用の第２硬質プロテクター５１が設けられている。この第２硬質プロテクター５１は、引戸１に組み込み内装されると、外側シリンダー８の周胴部の後部側また先端部側を四方八方から包む格好となるから、正面視を基準にして（室外側から見て）広角方向（例えば上方４５度方向、下方４５度方向）からの暴力的な破壊攻撃に対して防御することができる。したがって、泥棒は外側シリンダー８の突出駆動軸(当業者用語「テールピース」)をドリルで攻撃し難いから、「カム送り」や「サムターン回し」ができない。
【実施例】
【００３２】
錠ケースに相当する内外の取付け部材３．４の形態は、任意に設計変更可能である。
【産業上の利用可能性】
【００３３】
本発明の引戸の錠前用ケースの固定構造は、住居用建物、ミニハウス、物置、倉庫、車庫などの引戸に利用される。
【図面の簡単な説明】
【００３４】
図１乃至図８は本発明の一実施例を示す各説明図。
【図１】発明の実施の環境を示す一部概略断面説明図。
【図２】室内側から主要部の位置を見た説明図。
【図３】主要部を構成する各部材の概略説明図。
【図４】錠前の内部構造と固着手段の位置を示す説明図。
【図５】上方から内外の取付け部材と固着手段の位置を示す説明図。
【図６】室内側から内外の取付け部材と固着手段の位置を示す説明図。
【図７】室外側から内外の取付け部材と固着手段の位置を示す説明図。
【図８】外側部材の縦断面の説明図。
【符号の説明】
【００３５】
１…引戸、２…縦框、２ａ…戸先フレーム、２ｂ…縦框本体、３…内側取付け部材、４…外側取付け部材（硬質プロテクター）、５．５Ａ…第１固着手段、６．６Ａ…第２固着手段、７…内側シリンダー、８…外側シリンダー、９…内部空間、１０…保護キャップ、１３…受け金具、２３．２４．２５．２６…框の支持フレーム。
【図１】
2005213968.tif 000003
【図２】
2005213968.tif 000004
【図３】
2005213968.tif 000005
【図４】
2005213968.tif 000006
【図５】
2005213968.tif 000007
【図６】
2005213968.tif 000008
【図７】
2005213968.tif 000009
【図８】
2005213968.tif 000010